(57)【要約】【課題】腹部を好適に覆う腹巻き機能を備えたタイツを提供する。【解決手段】この腹巻きタイツ１０は、パンティ部３と、脚を被覆するレッグ部２とつま先部１とを備え、ユーザＵが着用した場合において、腹巻きタイツ１０の上端がユーザのみぞおち部付近までの長さの腹巻き部５を備え、腹巻きタイツ１０の上端に、ウエストゴムのループ部分の長さを調整することにより腹巻きタイツ１０の胴回り長さを調節するアジャスター部７を備えている。【選択図】図４
2013185275.tif 000002
【特許請求の範囲】
【請求項１】
パンティ部とレッグ部とを含むタイツであって、
着用時において前記タイツの上端がみぞおち部付近までの長さを備えるように、前記パンティ部が伸張され、
前記タイツの上端に、前記タイツの胴回り長さを調節するアジャスター部を設けたことを特徴とする腹巻きタイツ。
【請求項２】
前記アジャスター部は、
前記パンティ部の上端を折り返した袋部分に内挿された帯状のウエストゴムと、
前記ウエストゴムの長さを調整する調整部とを含み、
前記調整部は、前記ウエストゴムに設けられた複数のボタンホールと、前記ウエストゴムに縫着され、前記複数のボタンホールのいずれかに係止されるボタンとを含むことを特徴とする、請求項１に記載の腹巻きタイツ。
【発明の詳細な説明】
【技術分野】
【０００１】
本発明は、下半身用衣類である、パンティストッキング型のタイツやレッグ部のみのタイツ（スパッツ等）に関し、特に、腹巻きと一体化されたタイツであって、腹部を好適に覆うことのできるタイツに関する。
【背景技術】
【０００２】
タイツは専ら冬季に着用され、保温性を重視したものとなっており、タイツにはアクリルのバルキー糸１００％のもの、カバリング糸とナイロンフィラメント加工糸との交編タイプのもの、またはカバリング糸１００％のいわゆるゾッキタイプのものがあり、形状としてはパンティーストッキング型のものやレッグ部のみのものがある。本発明に係るタイツには、パンティーストッキング型のみならず、パンティーストッキング型のタイツの一部（足首より先の部分等）を欠落させた、スパッツ、レギンスおよびトレンカ等の呼び名を有する形状のものも含む。
【０００３】
このようなタイツとは別の商品として、寒さや冷えから腹部を保護する腹巻きがある。一般的に、腹巻きとタイツとは、別の商品として製造されて販売されている。そのため、従来、腹巻きを常用している人がタイツを着用する場合（またはその逆の場合）には、タイツのほかに腹巻きを着用する必要があり、これらの２つを着用することは不便であって、また、これらの２つが嵩張って不恰好であった。
【０００４】
このような背景に鑑み、タイツと腹巻きとの一体化が検討されてきた。たとえば、特許文献１（登録実用新案第３０５２００４号公報）は、腹巻き機能を備えた腹巻き付きタイツを開示する。この特許文献１に開示された腹巻き付きタイツは、パンティ部とレッグ部とからなるタイツにおいて、パンティ部に腹巻き機能を有する締付部を形成した腹巻き片を設け、必要に応じてレッグ部とパンティ部とを切り離してパンティ部とレッグ部を再使用しうるようにしたり、パンティ部の腹巻き片とパンティとを切り離し自在に縫合するようにしたものである。そして、このタイツにおいては、左足片と右足片と小襠片を夫々編成してすくい縫いで縫合後、これに腹巻き機能を有する締付部を有する腹巻き片を飾り縫いで縫い合わしたものである。腹巻き片の上端にあたるウエストバンドは、折り返して内部にゴムテ−プを入れて、へり縫いして仕上げている。
【０００５】
この腹巻き付きタイツによると、パンティ部と腹巻きとを１枚で兼用させることができるので、嵩張ることなくスマ−トに着こなすことができる。
【先行技術文献】
【特許文献】
【０００６】
【特許文献１】登録実用新案第３０５２００４号公報
【発明の概要】
【発明が解決しようとする課題】
【０００７】
特許文献１に開示された腹巻きタイツを着用するときには、パンティの上部と腹巻き片とは飾り縫いでしか縫合されていないので緊縛力がなく、この部分（通常のウエスト部）でこのタイツがずれ落ちることを止めることはできない。このタイツの腹巻き片の上端（すなわちこのタイツの上端）にあたるウエストバンドに設けられたゴムテープを用いて、みぞおち部（腹部の上方中央にある窪んだ部位）で、このタイツがずれ落ちることを止めることになる。
【０００８】
しかしながら、この腹巻き付きタイツでは、以下の問題点がある。ユーザのみぞおち部の体型（周囲長）は、様々であるために、この腹巻き付きタイツでは、腹巻き片がフィットしない可能性がある。すなわち、みぞおち部の体型がスリムな（周囲長が小さい）ユーザであればこの腹巻き付きタイツの腹巻き片がずれ落ちてしまう。一方、みぞおち部の体型がスリムでない（周囲長が大きい）ユーザであればこの腹巻き付きタイツの腹巻き片の部分がきつくなりすぎる。
【０００９】
本発明は、従来技術の上述の問題点に鑑みて開発されたものであり、その目的とするところは、着用したときに腹部を好適に覆うことのできる腹巻き機能を備えた腹巻きタイツ
を提供することを目的とする。
【課題を解決するための手段】
【００１０】
上記目的を達成するため、本発明に係る腹巻きタイツは以下の技術的手段を講じている。
すなわち、本発明に係る腹巻きタイツは、パンティ部とレッグ部とを含むタイツであって、着用時において前記タイツの上端がみぞおち部付近までの長さを備えるように、前記パンティ部が伸張され、前記タイツの上端に、前記タイツの胴回り長さを調節するアジャスター部を設けたことを特徴とする。
【００１１】
好ましくは、前記アジャスター部は、前記パンティ部の上端を折り返した袋部分に内挿された帯状のウエストゴムと、前記ウエストゴムの長さを調整する調整部とを含み、前記調整部は、前記ウエストゴムに設けられた複数のボタンホールと、前記ウエストゴムに縫着され、前記複数のボタンホールのいずれかに係止されるボタンとを含むように構成することができる。
【発明の効果】
【００１２】
本発明の腹巻きタイツによれば、着用したときにパンティ部の上端がみぞおち部までの長さの腹巻き部を備え、かつ、パンティ部の上端にタイツの胴回り長さを調節するアジャスター部を設けているので、腹巻き部で腹部を好適に覆うことができる。
【図面の簡単な説明】
【００１３】
【図１】本発明の実施の形態に係る腹巻きタイツの概略正面図である。
【図２】図１の腹巻きタイツの概略背面図である。
【図３】図１の腹巻きタイツを着用したときの状態を説明するための図である。
【図４】図３における腹巻きタイツの想像図（ユーザを消去）である。
【図５】図４のアジャスター部の拡大図である。
【発明を実施するための形態】
【００１４】
以下、本発明の実施の形態に係る腹巻きタイツ１０を、図面に基づき詳しく説明する。
図１に、本実施の形態に係る腹巻きタイツ１０の概略正面図を、図２に、その背面図を、それぞれ示す。なお、この腹巻きタイツ１０を構成する、パンティ部３、股部４、腹巻き部５には、正面側（腹側）を示すＦ（Ｆｒｏｎｔ）および背面側（背中側）を示すＢ（Ｂａｃｋ）を添えている。
【００１５】
この腹巻きタイツ１０は、通常のパンティストッキング等の下半身用衣類と同じく、腹部および臀部を被覆するパンティ部３と、脚を被覆するレッグ部２とを備えるものである。レッグ部２の先端部分は縫着されてつま先部１を構成している。
特徴的であるのは、（１）ユーザＵが着用した場合において、腹巻きタイツ１０の上端がユーザのみぞおち部付近までの長さを備えるように腹巻き部５を備えている点と、（２）腹巻きタイツ１０の上端（すなわち腹巻き部５の上端）に、腹巻きタイツ１０の胴回り長さを調節するアジャスター部７（図４および図５参照）を備えている点とである。
【００１６】
この腹巻きタイツ１０は、たとえば、筒状に編成された１対の編地を用い、パンティ部３に相当する部分に切れ目を入れて裁断縁どうしをつき合わせて股部４を縫着して一体化することにより製造される。また、レッグ部２のつま先部１は周知の手段により、袋状に縫着することにより製造される。
なお、本発明において、対象をタイツとしているが、部分的にその機能を備えたスパッツ等を含むことは上述した通りである。
【００１７】
この腹巻きタイツ１０の編み糸は特に限定されるものではなく、編み組織も特に限定されるものではない。しかしながら、専ら冬季に着用され、保温性を重視するタイツであるので、たとえば、ウールとアクリルとを混紡したバルキー糸で厚手に編み上げているものが特に好ましい。このように、編み糸も編み組織も限定されるものではなく、さらには、本出願人により出願された特開２００４−３４６４３４号公報に開示されたように腹巻きタイツ１０の部位により糸使いおよび／または編み組織を変更して腹巻きタイツ１０を編成するようにしても構わない。特に、腹巻き部５は、通常のタイツに求められる機能とは異なるため、腹巻き部５を他の部分と編み糸および／または編み組織を変更することが考
えられる。なお、本実施の形態においては、編み組織を変更していない。
【００１８】
図３に、この腹巻きタイツ１０をユーザＵが着用した正面図を、図４に、図３におけるユーザＵを消去した腹巻きタイツ１０の想像図を、それぞれ示す。
図３に示すように、ユーザＵがこの腹巻きタイツ１０を着用した場合において、腹巻きタイツ１０の上端がユーザＵのみぞおち部付近までの長さを備えるようにパンティ部３を伸張した腹巻き部５を備えている。そして、腹巻きタイツ１０の上端の背中側には、腹巻きタイツ１０の胴回り長さを調節することのできるアジャスター部７を備えている。
【００１９】
ウエスト部６は、腹巻きタイツ１０の上端を折り返して縫着した袋部分で構成され、その袋部分に帯状のウエストゴム７Ｂが内挿されている。ウエストゴム７Ｂは、たとえば、衣類のウエストなどに一般的に用いられている織りゴムであって、ループ状に構成されている。
図５に、アジャスター部７の拡大図を示す。図５に示すように、アジャスター部７は、ループ状に構成されたウエストゴム７Ｂと、そのウエストゴム７Ｂに設けられた複数のボタンホール７Ｃと、そのウエストゴム７Ｂのループ内周側に縫着されたボタン７Ａとで構成される。ボタン７Ａは、複数のボタンホール７Ｃのいずれかに係止される。図５においては、ウエストゴム７Ｂのループ内周側に縫着されたボタン７Ａが１つのボタンホール７Ｃに係止されている状態を示している。
【００２０】
なお、アジャスター部７は、この腹巻きタイツ１０の胴回り長さを調節することができればよく、特にこの構成に限定されるものではない。最も簡単な構成は、ウエスト部６を構成する袋部分に紐またはゴム紐を内挿して、その紐またはゴム紐の一部を袋部分から出すものである。そして、紐またはゴム紐の結び目の位置を変更することにより、この腹巻きタイツ１０の胴回り長さを調節するようにしても構わない。
【００２１】
以上のような構成を備える本実施の形態に係る腹巻きタイツ１０の着用方法について説明する。
ユーザＵが、この腹巻きタイツ１０を通常のタイツと同じように着用する。その後、図３に示すように、ユーザＵが、腹巻き部５をみぞおち部付近までたくし上げる。その後、以下のようにして調整する。
【００２２】
みぞおち部の体型がスリムで（このユーザＵのみぞおち部付近の周囲長が小さく）、腹巻き部５とみぞおち部との間に余裕があって、この腹巻きタイツ１０がずれ落ちる可能性がある場合には、以下のようにアジャスター部７を調整する。図５に示す状態からさらにウエストゴム７Ｂを引き出して、ボタン７Ａをさらに右側のボタンホール７Ｃへ付け替える。このようにすると、ウエストゴム７Ｂのループ部分の長さが短くなる。したがって、ウエスト部６がウエストゴム７Ｂにより絞られて、腹巻きタイツ１０の胴回り長さが短くなるように調節することができる。
【００２３】
一方、みぞおち部の体型がスリムでなく（このユーザＵのみぞおち部付近の周囲長が大きく）、腹巻き部５とみぞおち部との間に余裕がなく、この腹巻きタイツ１０がきついと感じる場合には、以下のようにアジャスター部７を調整する。図５に示す状態から、ボタン７Ａを左側のボタンホール７Ｃのいずれかへ付け替える。このようにすると、ウエストゴム７Ｂのループ部分の長さが長くなる。したがって、ウエスト部６がウエストゴム７Ｂにより絞られる状態が緩んで、腹巻きタイツ１０の胴回り長さが長くなるように調節することができる。
【００２４】
以上のようにして、本実施の形態に係る腹巻きタイツによると、アジャスター部７でこの腹巻きタイツ１０の胴囲長さを調整して、ユーザＵの体型に合致させることにより、腹巻き部５でユーザＵの腹部を好適に覆うことができる。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００２５】
たとえば、アジャスター部７の位置は、背面側（背中側）ではなく、正面側（お腹側）またはサイドであっても構わない。調整時に目視によりボタン７Ａおよびボタンホール７
Ｃとを確認できる点で好ましい。さらに、多機能なタイツを実現するために（吸汗性や保温性や消臭性を備える、伝線しにくい等）、編み糸および編み組織が選択されていることも好適である。
【産業上の利用可能性】
【００２６】
本発明は、腹巻き機能を備えたタイツに好適であり、ユーザの体型に合致させて腹部を好適に覆うタイツに特に好ましい。
【符号の説明】
【００２７】
１  つま先部
２  レッグ部
３  パンティ部
４  股部
５  腹巻き部
６  ウエスト部
７  アジャスター部
１０  腹巻きタイツ
【図１】
2013185275.tif 000003
【図２】
2013185275.tif 000004
【図３】
2013185275.tif 000005
【図４】
2013185275.tif 000006
【図５】
2013185275.tif 000007